(57)【要約】【課題】  マイコンの演算負荷を軽減しながら、電磁騒音を低減することである。【解決手段】  に本発明に係るインバータ駆動装置は、キャリア信号に基づくＰＷＭパルス信号により多相モータを駆動する電力変換器を制御するモータ制御装置において、前記キャリア信号の山側又は谷側においてのみ前記電力変換器への指令電圧信号を更新する第１制御モードと、前記キャリア信号の山側及び谷側の双方において前記電力変換器への指令電圧信号を更新する第２制御モードと、前記キャリア信号の山谷山もしく谷山谷のうち１回のみ前記電力変換器への指令電圧信号を更新する第３制御モードと、を車速情報に基づいて切り替える【選択図】図６
2018107978.tif 000002
【特許請求の範囲】
【請求項１】
キャリア信号に基づくＰＷＭパルス信号により多相モータを駆動する電力変換器を制御するモータ制御装置において、
前記キャリア信号の山側又は谷側においてのみ前記電力変換器への指令電圧信号を更新する第１制御モードと、
前記キャリア信号の山側及び谷側の双方において前記電力変換器への指令電圧信号を更新する第２制御モードと、
前記キャリア信号の山谷山もしく谷山谷のうち１回のみ前記電力変換器への指令電圧信号を更新する第３制御モードと、を車速情報に基づいて切り替えるインバータ駆動装置。
【請求項２】
請求項１のインバータ駆動装置において、
前記３つの制御モードで発生する前記電力変換器のＰＷＭパルス信号により発生する電磁騒音の周波数と前記多相モータの共振周波数とが合致しないように、前記キャリア信号の周波数と前記３つの制御モードを変化させるインバータ駆動装置。
【請求項３】
請求項１のインバータ駆動装置において、
前記３つの制御モードで発生する前記電力変換器のＰＷＭパルス信号により発生する電磁騒音の周波数と前記他相モータの電磁加振力に起因した騒音の周波数とが合致しないように、前記キャリア信号の周波数と前記３つの制御モードを変化させるインバータ駆動装置。
【請求項４】
請求項１乃至３のいずれか一項に記載のインバータ駆動装置と、
該インバータ駆動装置によって駆動制御される三相モータと、を備える電動車両システム
【発明の詳細な説明】
【技術分野】
【０００１】
本発明は、インバータ駆動装置に関わり、特に、電動車両システムに用いられるインバータ駆動装置に関する。
【背景技術】
【０００２】
ＰＷＭ（パルス幅変調）制御してモータを駆動するインバータ駆動装置は、直流電源から任意の周波数の交流電圧に変換し、可変速駆動を実現している。
【０００３】
ＰＷＭ制御は、正弦波状の変調信号を鋸波や三角波などのキャリア信号と比較して、パルス電圧を発生させるため、キャリア信号の周波数に起因した電磁加振力による騒音（以下、電磁騒音と略す）が発生する。
【０００４】
特に、電磁加振力の周波数ｆと機構の固有振動の周波数ｆｍとが合致すると、共振して大きな電磁騒音を発生させる。特許文献１には、共振による電磁騒音を低減するために、キャリア信号の周波数ｆｃと機構の固有振動の周波数ｆｍとを一致させる技術が記載されている。
【先行技術文献】
【特許文献】
【０００５】
【特許文献１】特開２０１１−１７２３０３号公報
【発明の概要】
【発明が解決しようとする課題】
【０００６】
特許文献１では、正弦波状の変調信号の更新タイミングを三角波のキャリア信号の「山」と「谷」の２回とすることで、キャリア信号の周波数ｆｃの電磁騒音が発生しないようにしている(図１参照)。
【０００７】
しかしながら、電圧更新タイミングを「山」と「谷」とする（以下、山谷更新と略）と、インバータに印加する三相電圧をキャリア信号の２倍の周波数２ｆｃで更新する必要があり、マイコンの処理負荷が増大する。
【０００８】
この山谷更新を使用した場合、電圧の更新タイミングの頻度を上げなければならないため、インバータのキャリア信号の周波数を上げることが困難である。これに対して、電圧更新タイミングを「山」のみとする（以下、山更新と略）と、インバータに印加する三相電圧をキャリア信号の周波数ｆｃで更新すればよく、マイコンの処理負荷が低減する（図２参照）。一方、山更新は電圧の更新タイミングの回数が半減するため、山谷更新と比較して出力電圧の波形が粗くなることで基本波電圧以外の高調波電圧が増大する。
【０００９】
本発明の課題は、マイコンの演算負荷を軽減しながら、電磁騒音を低減することである。
【課題を解決するための手段】
【００１０】
上記課題を解決するために本発明に係るインバータ駆動装置は、キャリア信号に基づくＰＷＭパルス信号により多相モータを駆動する電力変換器を制御するモータ制御装置において、前記キャリア信号の山側又は谷側においてのみ前記電力変換器への指令電圧信号を更新する第１制御モードと、前記キャリア信号の山側及び谷側の双方において前記電力変換器への指令電圧信号を更新する第２制御モードと、前記キャリア信号の山谷山もしく谷山谷のうち１回のみ前記電力変換器への指令電圧信号を更新する第３制御モードと、を車速情報に基づいて切り替える。
【発明の効果】
【００１１】
本発明により、マイコンの演算負荷を軽減しながら、電磁騒音を低減できる。
【図面の簡単な説明】
【００１２】
【図１】変調信号の更新タイミングを山谷としたときの例を表す図である。
【図２】変調信号の更新タイミングを山としたときの例を表す図である。
【図３】本実施形態のインバータ駆動装置を有するモータ駆動装置の構成を示すブロック図である。
【図４】図３に示された制御部１内のブロック図である。
【図５】電圧指令生成部１３のブロック図である。
【図６】第１の実施形態における電圧更新タイミング生成フローである。
【図７】更新周期Ｔ１が３／（２ｆｃ）のときの電圧更新タイミングである。
【図８】更新周期Ｔ１が１／ｆｃのときの電圧更新タイミングである。
【図９】更新周期Ｔ１が１／（２ｆｃ）のときの電圧更新タイミングである。
【図１０】モータ電気角周波数をｆ１、キャリア信号の周波数をｆｃとしたとき、ｆ１とｆｃの比を１５としたときの電圧の更新タイミングの違いに起因する電圧の高調波成分を示すグラフである。
【図１１】インバータ駆動装置により駆動されるモータ２の騒音の測定結果のグラフである。
【図１２】モータ２、インバータ３により発生する電磁騒音の周波数の表をである。
【図１３】第２の実施形態におけるキャリア信号の周波数と騒音の関係を示すグラフである。
【図１４】本発明の第２の実施形態によるキャリア周波数と電圧更新タイミングの変化方法例を示す。
【図１５】本実施形態のインバータ駆動装置が適用されたハイブリッド自動車システムの構成図である。
【発明を実施するための形態】
【００１３】
以下、本発明の第１の実施形態について図面を用いて説明する。
【００１４】
図３は、本実施形態のインバータ駆動装置を有するモータ駆動装置６の構成を示すブロック図である。図４は、図３に示された制御部１内のブロック図である。
【００１５】
モータ駆動装置６は、モータ２とインバータ３を有している。
【００１６】
インバータ３は、直流電流を交流電流に相互に変換するインバータ回路３１と、インバータ回路３１にPWM信号を出力するパルス幅変調信号出力手段３２と、直流電力を平滑化する平滑キャパシタ３３と、を有している。
【００１７】
高圧バッテリ５は、モータ駆動装置６の直流電圧源である。高圧バッテリ５の直流電圧ＶＢは、インバータ３のインバータ回路３１とパルス幅変調信号出力手段３２によって可変電圧、可変周波数のパルス状の三相交流電圧に変換され、モータ２に印加される。
【００１８】
モータ２は、三相交流電圧の供給により回転駆動される同期モータである。モータ２には、モータ２の誘起電圧の位相に合わせて三相交流の印加電圧の位相を制御するために回転位置センサ４が取り付けられており、回転位置検出器４１にて回転位置センサ４の入力信号から回転位置θを演算すると共にモータ回転速度ωｒを演算する。
【００１９】
ここで、回転位置センサ４には、鉄心と巻線とから構成されるレゾルバがより好適であるが、ＧＭＲセンサなどの磁気抵抗素子や、ホール素子を用いたセンサであっても問題ない。
【００２０】
電流検出手段７は、モータ２を通電する三相交流電流であるＵ相交流電流ＩｕとＶ相交流電流ＩｖとＷ相交流電流Ｉｗを検出する。ここでは、３つの電流検出器を具備するものを示しているが、電流検出器を２つとし、残る１相を三相電流の和が零であることから算出してもよい。また、インバータ３に流入するパルス状の直流母線電流を平滑キャパシタ３３とインバータ３の間に挿入されたシャント抵抗Ｒｓｈの両端の電圧（電流検出値Ｉｄｃ）として検出し、印加電圧に応じて直流電流を三相電流に再現してもよい。
【００２１】
図４に示されるように、制御部１は、三相／ｄｑ変換電流制御部１１、電流制御部１２、電圧指令生成部１３を有しており、検出したＵ相交流電流ＩｕとＶ相交流電流ＩｖとＷ相交流電流Ｉｗとモータ２のｄ軸電流指令Ｉｄ＊とｑ軸電流指令Ｉｑ＊に応じて、インバータ３のインバータ回路３１を駆動する。
【００２２】
三相／ｄｑ変換電流制御部１１は、検出したＵ相交流電流ＩｕとＶ相交流電流ＩｖとＷ相交流電流Ｉｗと回転位置θとからｄｑ変換したｄ軸電流値Ｉｄとｑ軸電流値Ｉｑを演算する。電流制御部１２では、ｄ軸電流値Ｉｄとｑ軸電流値Ｉｑと、目標トルクに応じて作成されたｄ軸電流指令Ｉｄ＊とｑ軸電流指令Ｉｑ＊とが一致するようにｄ軸電圧指令Ｖｄ＊とｑ軸電圧指令Ｖｑ＊を演算する。
【００２３】
電圧指令生成部１３は、ｄ軸電圧指令Ｖｄ＊とｑ軸電圧指令Ｖｑ＊と回転位置θとからＵＶＷ変換した三相電圧指令値であるＵ相電圧指令値Ｖｕ＊、Ｖ相電圧指令値Ｖｖ＊、ＵＷ相電圧指令値Ｖｗ＊を演算し、三相電圧指令値をパルス幅変調したＰＷＭパルス（ＰＷＭ）出力する。ＰＷＭパルスは、ドライブ回路を介して、インバータ回路３１の半導体スイッチ素子をオン／オフ制御して出力電圧を調整する。
【００２４】
なお、モータ駆動装置６において、モータ２の回転速度を制御する場合には、回転位置θの時間変化からモータ回転速度ωｒを演算し、上位の制御器からの速度指令と一致するように電圧指令あるいは電流指令を作成する。また、モータ出力トルクを制御する場合には、ｄ軸電流値Ｉｄとｑ軸電流値Ｉｑとモータトルクの関係式あるいはマップを用いて、ｄ軸電流指令Ｉｄ＊とｑ軸電流指令Ｉｑ＊を作成する。
【００２５】
次に図５を用いて本実施形態の電圧指令生成部１３について説明する。図５は、電圧指令生成部１３のブロック図である。電圧指令生成部１３は、電圧更新タイミング生成部１３１、ｄｑ／三相電圧指令変換部１３２、三角波生成部１３３、ゲート信号生成部１３４により構成される。
【００２６】
電圧更新タイミング生成部１３１は、マイコンの演算負荷に応じて、電圧の更新タイミングを決定する。図６は、第１の実施形態における電圧更新タイミング生成フローである。
電圧更新タイミング生成部１３１では、図６の電圧更新タイミング生成フローに基づいてマイコンの処理負荷率に応じて更新周期Ｔ１を変化させる。マイコンの処理負荷率は，演算負荷に応じて変化する。例えば，電圧利用率を向上させる矩形波制御やトルク脈動抑制制御を用いた場合を取り上げる。
キャリア信号の周波数をｆｃとする。この場合，電流推定演算やｄｑ軸電流に６倍の脈動を重畳した制御を行うため，通常の電流制御と比較して演算量が増加する。こういった場合に，更新周期Ｔ１を通常の電流制御で使用される１／（２ｆｃ）から１／（ｆｃ）や３／（２ｆｃ）と伸ばすことで，矩形波制御やトルク脈動抑制制御に必要な演算時間を確保することができる。
【００２７】
図７から図９に、更新周期Ｔ１における電圧更新タイミングを示す。図７から図９では、モータ電気角周波数をｆ１、キャリア信号の周波数をｆｃとしたとき、ｆ１とｆｃの比を１５としている。
【００２８】
図７は、更新周期Ｔ１が３／（２ｆｃ）のときの電圧更新タイミングである。図７では，電圧の更新タイミングがキャリア信号の１周期（１／ｆｃ）の３／２倍となっており，三角波であるキャリア信号の「山側・谷側・山側」と「谷側・山側・谷側」とが交互に来る。
【００２９】
図８は、更新周期Ｔ１が１／ｆｃのときの電圧更新タイミングである。図８では，電圧の更新タイミングがキャリア信号の１周期（１／ｆｃ）の１倍となっており，三角波であるキャリア信号の「山側・谷側」が連続に来る。以下では，「山」の更新タイミングと略す。
【００３０】
図９は、更新周期Ｔ１が１／（２ｆｃ）のときの電圧更新タイミングである。図９では，電圧の更新タイミングがキャリア信号の１周期（１／ｆｃ）の１／２倍となっており，三角波であるキャリア信号の「山側」と「谷側」とが交互に来る。以下では，「山谷」の更新タイミングと略す。
【００３１】
ｄｑ／三相電圧変換部１３２は、電流制御部１２の出力であるｄ軸電圧指令Ｖｄ＊とｑ軸電圧指令Ｖｑ＊と回転位置検出器４１の出力である回転位置θと電圧更新タイミング生成部１３１の出力である更新周期Ｔ１から固定座標変換および二相三相変換を行い、Ｕ相電圧指令値Ｖｕ＊とＶ相電圧指令値Ｖｖ＊とＷ相電圧指令値Ｖｗ＊を生成する。
【００３２】
三角波生成部１３３は、キャリア信号の周波数ｆｃに基づき、キャリア信号の周波数ｆｃの三角波を生成する。
【００３３】
ゲート信号生成部１３４は、ｄｑ／三相電圧変換部１３２の出力であるＵ相電圧指令値Ｖｕ＊とＶ相電圧指令値Ｖｖ＊とＷ相電圧指令値Ｖｗ＊と三角波生成部１３３の出力である三角波を比較し、パルス状の電圧を生成する。その際、上側アームのゲート信号Ｇｕｐ、Ｇｖｐ、Ｇｗｐを論理反転させ、下側アームゲート信号Ｇｕｎ、Ｇｖｎ、Ｇｗｎを生成する。
【００３４】
このように、図６に示す第１の実施形態における電圧更新タイミング生成フローを用いて電圧更新のタイミングを間引くことで、ｄｑ軸電圧指令を三相電圧の指令に演算し、三角波と比較する電圧指令生成部１３のマイコンの処理負荷を低減することができる。
【００３５】
次に、本発明の第２の実施形態について図面を用いて説明する。
【００３６】
図１０は、モータ電気角周波数をｆ１、キャリア信号の周波数をｆｃとしたとき、ｆ１とｆｃの比を１５としたときの図７から図９に示した電圧の更新タイミングの違いに起因する電圧の高調波成分を示すグラフである。
【００３７】
どの電圧の更新タイミングにおいても周波数ｆｃ±２ｆ１（図１０の１３次成分、１７次成分）、ｆｃ±４ｆ１（図１０の１１次成分、１９次成分）および２ｆｃ±ｆ１（図１０の２９次成分、３１次成分）が発生する。
【００３８】
この電圧の高調波成分によるステータの回転磁界とロータの磁界が干渉しあうことで、周波数ｆｃ±３ｆ１と２ｆｃの電磁騒音が発生する。
【００３９】
実測されたモータの電磁騒音を例として上記の周波数について詳細に説明する。図１１は、インバータ駆動装置により駆動されるモータ２の騒音の測定結果のグラフである。このインバータ駆動装置にある電圧更新タイミング生成部１３１の電圧の更新タイミングＴ１は（１／ｆｃ）である。このとき，モータ駆動装置６のインバータ３１で出力される高調波電圧は図１０の電圧更新タイミングＴ１が（１／ｆｃ）のときの高調波電圧となる。電圧更新タイミングＴ１が（１／ｆｃ）のときの高調波電圧は，周波数ｆｃ±２ｆ１（図１０の１３次成分、１７次成分）、ｆｃ±４ｆ１（図１０の１１次成分、１９次成分）および２ｆｃ±ｆ１（図１０の２９次成分、３１次成分）に加えて，ｆｃ±ｆ１（図１０の１４次成分、１６次成分）が発生する。
【００４０】
この高調波電圧がモータに印加されると，電圧と同じ周波数の高調波電流となる。周波数ｆｃ±２ｆ１（図１０の１３次成分、１７次成分）、ｆｃ±４ｆ１（図１０の１１次成分、１９次成分）によるステータの回転磁界とロータの磁界が干渉し，周波数ｆｃ±３ｆ１の電磁力が発生する。同様に，周波数ｆｃ±３ｆ１，２ｆｃの電磁力が発生する。この電磁力がモータケースやハウジングを振動させ，電磁騒音となる。
【００４１】
一方で，図１０の電圧更新タイミングＴ１が（１／２ｆｃ）のときの高調波電圧は，ｆｃ±ｆ１（図１０の１４次成分、１６次成分）が発生しない。そのため，上記高調波電圧により発生する電磁力の周波数は周波数ｆｃ±３ｆ１，２ｆｃとなる。また，図１０の電圧更新タイミングＴ１が（３／２ｆｃ）のときの高調波電圧は，ｆｃ±ｆ１（図１０の１４次成分、１６次成分）が発生せず，例として周波数（２ｆｃ）／３±ｆ１および（２ｆｃ）／３±ｆ１の高調波電圧が発生する。そのため，上記高調波電圧により発生する周波数（２ｆｃ）／３±２ｆ１の電磁騒音になる。
【００４２】
モータの回転数が変化すると，それに伴いモータ電気角周波数ｆ１が変化する。モータの回転数により変化する電磁騒音の周波数ｆｃ±３ｆ１と，モータ２のケースハウジング（機構）の固有振動数ｆｍと，モータ２の磁気設計固有の回転数に比例して発生する電磁加振力に起因した周波数とが共振することで大きくなる。例として、図１１のモータ２の電磁騒音の測定結果では、インバータ３の電圧高調波に起因した周波数ｆｃ−３ｆ１の騒音がモータ構造系の固有振動数ｆｍと一致し、共振により騒音が大きくなる。
【００４３】
次に，モータの磁気設計による騒音について述べる。モータの磁気設計による騒音は，モータのロータの極数やステータのスロット数，磁気的な空隙，ステータの巻線方法などに依存して発生し，一般的にモータの電気角周波数ｆ１のＮ倍で発生する。例えば，図１１のモータの測定結果ではモータ２は電気角周波数ｆ１の１２倍と２４倍が多く発生する。
【００４４】
図１２に、上記のモータ２、インバータ３により発生する電磁騒音の周波数の表を示す。これらの周波数で発生する電磁力がケースハウジングの固有振動数（ｆｍ１，ｆｍ２，ｆｍ３，…）と一致することで，電磁力による振動・騒音が大きくなる。
【００４５】
本発明の第２の実施形態では，図１１に示す実測された電磁騒音とは異なり，共振を避けて電磁騒音を最小とするように電圧指令更新タイミングとキャリア信号の周波数を変化させる。
【００４６】
一般に、キャリア信号の周波数を増加させながら、電圧指令更新タイミングを山谷更新とすると、マイコンの演算負荷が増大する。そのため、キャリア信号の周波数を高くする場合は、山更新とする必要がある。山谷更新と山更新を切り替えるときに，同じキャリア周波数とした場合，図１３に示すようにケースハウジングの固有振動数ｆｍ１とｆｍ２と一致し，キャリア電磁騒音が大きくなる。
【００４７】
図１４に，本発明の第２の実施形態によるキャリア周波数と電圧更新タイミングの変化方法例を示す。本発明の第２の実施形態では，キャリア周波数を第１のキャリア周波数ｆｃ１と第２のキャリア周波数ｆｃ２の２つを設け，モータの回転数が低いとき，ケースハウジングの固有振動数ｆｍ１とｆｍ２よりキャリア周波数に設定する。マイコンの処理負荷が高くなり，電圧の更新タイミングを山更新とするとき，キャリア周波数ｆｃ１をケースハウジングの固有振動数ｆｍ１とｆｍ２の間とし，放射状に広がる電磁騒音の周波数ｆｃ±３ｆ１と一致しないようにする。このようにすることで，ケースハウジングとの共振を避け，モータ駆動システム６で発生する電磁騒音を低減できる。
【００４８】
また，モータの回転数が低いとき，電圧の更新タイミングをＴ１とすることで発生するキャリア電磁騒音の周波数ｆｃ２とケースハウジングの固有振動数ｆｍ１もしくはｆｍ２とを一致させ，少ない高調波電圧で音を発生させてもよい。
【００４９】
次に、図１５を用いて、本発明に係るインバータ駆動装置を車両に適用したその他の実施形態を説明する。
【００５０】
図１５は、本実施形態のインバータ駆動装置が適用されたハイブリッド自動車システムの構成図である。ハイブリッド自動車システムは、図１５に示すように、モータ２をモータ／ジェネレータとして適用したパワートレインを有する。
【００５１】
図１５に示す自動車において符号７００は車体である。車体７００のフロント部には、前輪車軸７０１が回転可能に軸支されており、前輪車軸７０１の両端には、前輪７０２、７０３が設けられている。車体７００のリア部には、後輪車軸７０４が回転可能に軸支されており、後輪車軸７０４の両端には後輪７０５、７０６が設けられている。
【００５２】
前輪車軸７０１の中央部には、動力分配機構であるデファレンシャルギア７１１が設けられており、エンジン７１０から変速機７１２を介して伝達された回転駆動力を左右の前輪車軸７０１に分配するようになっている。
【００５３】
エンジン７１０とモータ２とは、エンジン７１０のクランクシャフトに設けられたプーリー７１０ａとモータ２の回転軸に設けられたプーリー７２０ａとがベルト７３０を介して機械的に連結されている。
【００５４】
これにより、モータ２の回転駆動力がエンジン７１０に、エンジン７１０の回転駆動力がモータ２にそれぞれ伝達できるようになっている。モータ２は、インバータ３によって制御された三相交流電力がステータのステータコイルに供給されることによって、ロータが回転し、三相交流電力に応じた回転駆動力を発生する。
【００５５】
すなわち、モータ２は、インバータ３によって制御されて電動機として動作する一方、エンジン７１０の回転駆動力を受けてロータが回転することによって、ステータのステータコイルに起電力が誘起され、三相交流電力を発生する発電機として動作する。
【００５６】
インバータ３は、高電圧（４２Ｖあるいは３００Ｖ）系電源である高圧バッテリ５から供給された直流電力を三相交流電力に変換する電力変換装置であり、運転指令値に従ってロータの磁極位置に応じた、モータ２のステータコイルに流れる三相交流電流を制御する。
【００５７】
モータ２によって発電された三相交流電力は、インバータ３によって直流電力に変換されて高圧バッテリ５を充電する。高圧バッテリ５にはＤＣ−ＤＣコンバータ７２４を介して低圧バッテリ７２３に電気的に接続されている。低圧バッテリ７２３は、自動車の低電圧（１４Ｖ）系電源を構成するものであり、エンジン７１０を初期始動（コールド始動）させるスタータ７２５、ラジオ、ライトなどの電源に用いられている。
【００５８】
車両が信号待ちなどの停車時（アイドルストップモード）にあるとき、エンジン７１０を停止させ、再発車時にエンジン７１０を再始動（ホット始動）させる時には、インバータ３でモータ２を駆動し、エンジン７１０を再始動させる。尚、アイドルストップモードにおいて、高圧バッテリ５の充電量が不足している場合や、エンジン７１０が十分に温まっていない場合などにおいては、エンジン７１０を停止せず駆動を継続する。また、アイドルストップモード中においては、エアコンのコンプレッサなど、エンジン７１０を駆動源としている補機類の駆動源を確保する必要がある。この場合、モータ２を駆動させて補機類を駆動する。
【００５９】
加速モード時や高負荷運転モードにある時にも、モータ２を駆動させてエンジン７１０の駆動をアシストする。逆に、高圧バッテリ５の充電が必要な充電モードにある時には、エンジン７１０によってモータ２を発電させて高圧バッテリ５を充電する。すなわち、車両の制動時や減速時などの回生モードを行う。
【００６０】
本実施形態のインバータ駆動装置を用いた電動車両では、マイコンの演算負荷を軽減しながら、電磁騒音を低減することで、車体に貼り付ける防振材、防音材、遮音材を低減できる。また、これら材料を低減することで、燃費を向上することができる。
【００６１】
上述の実施の形態では、本実施形態のモータ駆動装置６をハイブリッド自動車システムに適用した場合について説明したが、電気自動車においても同様な効果が得られる。
【００６２】
また、上述の実施形態では、インバータ装置単体について説明したが、当該上述の機能を有していれば、インバータ装置とモータとが一体化したモータ駆動システムにおいても適用できることは言うまでもない。
【００６３】
なお、本発明は、上述の実施の形態に限定されるものではなく、本発明の趣旨を逸脱しない範囲で種々の変更が可能である。
【符号の説明】
【００６４】
１…制御部、２…モータ、３…インバータ、４…回転位置センサ、５…高圧バッテリ、６…モータ駆動装置、７…電流検出手段、１１…三相／ｄｑ変換電流制御部、１２…電流制御部、１３…電圧指令生成部、３１…インバータ回路、３２…パルス幅変調信号出力手段、３３…平滑キャパシタ、４１…回転位置検出器、１３１…電圧更新タイミング生成部、１３２…ｄｑ／三相電圧指令変換部、１３３…三角波生成部、１３４…ゲート信号生成部、７００…車体、７０１…前輪車軸、７０２…前輪、７０３…前輪、７０４…後輪車軸、７０５…後輪、７０６…後輪、７１０…エンジン、７１０ａ…プーリー、７１１…デファレンシャルギア、７１２…変速機、７２０ａ…プーリー、７２３…低圧バッテリ、７２４…ＤＣ−ＤＣコンバータ、７２５…スタータ、７３０…ベルト、ｆ１…モータ電気角周波数、ｆｃ…キャリア信号の周波数、Ｇｕｐ…上側アームのＵ相ゲート信号、Ｇｖｐ…上側アームのＶ相ゲート信号、Ｇｗｐ…上側アームのＷ相ゲート信号、Ｇｕｎ…下側アームのＵ相ゲート信号、Ｇｖｎ…下側アームのＶ相ゲート信号、Ｇｗｎ…下側アームのＷ相ゲート信号、Ｉｄ…ｄ軸電流値、Ｉｄｃ…電流検出値、Ｉｄ＊…ｄ軸電流指令、Ｉｑ…ｑ軸電流値、Ｉｑ＊…ｑ軸電流指令、Ｉｕ…Ｕ相交流電流、Ｉｖ…Ｖ相交流電流、Ｉｗ…Ｗ相交流電流、Ｔ１…更新周期、Ｒｓｈ…シャント抵抗、ＶＢ…直流電圧、Ｖｄ＊…ｄ軸電圧指令、Ｖｑ＊…ｑ軸電圧指令、Ｖｕ＊…Ｕ相電圧指令値、Ｖｖ＊…Ｖ相電圧指令値、Ｖｗ＊…Ｗ相電圧指令値、θ…回転位置、ωｒ…モータ回転速度
【図１】
2018107978.tif 000003
【図２】
2018107978.tif 000004
【図３】
2018107978.tif 000005
【図４】
2018107978.tif 000006
【図５】
2018107978.tif 000007
【図６】
2018107978.tif 000008
【図７】
2018107978.tif 000009
【図８】
2018107978.tif 000010
【図９】
2018107978.tif 000011
【図１０】
2018107978.tif 000012
【図１１】
2018107978.tif 000013
【図１２】
2018107978.tif 000014
【図１３】
2018107978.tif 000015
【図１４】
2018107978.tif 000016
【図１５】
2018107978.tif 000017